(57)【特許請求の範囲】
【請求項１】
端末からデータを受けると、そのデータを変調してＣＡＴＶ網に出力し、上記ＣＡＴＶ網からデータを受信すると、そのデータを復調して上記端末に出力するモデムと、上記モデムを用いて、上記ＣＡＴＶ網に設置されているモニタ端末にテスト信号を送信するとともに、そのモニタ端末から返送されたテスト信号を受信して、そのテスト信号のビットエラーレートを検出するエラーレート検出手段と、上記エラーレート検出手段により検出されたビットエラーレートが許容範囲内にあるか否かを監視する監視手段と、上記監視手段の監視結果が許容範囲の逸脱を示す場合には、伝送品質の劣化を示す情報を表示する表示手段とを備えたネットワーク管理装置において、上記ＣＡＴＶ網における上り回線のトラフィック使用率を監視し、上記ＣＡＴＶ網における上り回線のトラフィック使用率が設定値を上回っていれば、上記端末が新たに接続するチャネルの通信プロトコルをＵＤＰ／ＩＰに決定し、上記ＣＡＴＶ網における上り回線のトラフィック使用率が設定値以下であれば、上記端末が新たに接続するチャネルの通信プロトコルをＴＣＰ／ＩＰに決定するプロトコル決定手段を設けたことを特徴とするネットワーク管理装置。
【請求項２】
上記表示手段は、伝送品質の劣化を示す情報を表示する際、上記エラーレート検出手段により検出されたビットエラーレートを表示することを特徴とする請求項１記載のネットワーク管理装置。
【請求項３】
端末からデータを受けると、そのデータを変調してＣＡＴＶ網に出力し、上記ＣＡＴＶ網からデータを受信すると、そのデータを復調して上記端末に出力するモデムと、上記モデムを用いて、上記ＣＡＴＶ網に設置されているモニタ端末にテスト信号を送信するとともに、そのモニタ端末から返送されたテスト信号を受信して、そのテスト信号のＣＮ比又は上記テスト信号に含まれるノイズ信号成分を検出するノイズ検出手段と、上記ノイズ検出手段により検出されたＣＮ比又はノイズ信号成分が許容範囲内にあるか否かを監視する監視手段と、上記監視手段の監視結果が許容範囲の逸脱を示す場合には、伝送品質の劣化を示す情報を表示する表示手段とを備えたネットワーク管理装置において、上記ＣＡＴＶ網における上り回線のトラフィック使用率を監視し、上記ＣＡＴＶ網における上り回線のトラフィック使用率が設定値を上回っていれば、上記端末が新たに接続するチャネルの通信プロトコルをＵＤＰ／ＩＰに決定し、上記ＣＡＴＶ網における上り回線のトラフィック使用率が設定値以下であれば、上記端末が新たに接続するチャネルの通信プロトコルをＴＣＰ／ＩＰに決定するプロトコル決定手段を設けたことを特徴とするネットワーク管理装置。
【請求項４】
上記表示手段は、伝送品質の劣化を示す情報を表示する際、上記ノイズ検出手段により検出されたＣＮ比又はノイズ信号成分を表示することを特徴とする請求項３記載のネットワーク管理装置。
【請求項５】
端末からデータを受けると、そのデータを変調してＣＡＴＶ網に出力し、上記ＣＡＴＶ網からデータを受信すると、そのデータを復調して上記端末に出力するモデムと、上記モデムが送受信するデータの伝送速度を、上記モデムから受信する速度検出手段と、上記速度検出手段により受信された伝送速度が許容範囲内にあるか否かを監視する監視手段と、上記監視手段の監視結果が許容範囲の逸脱を示す場合には、伝送品質の劣化を示す情報を表示する表示手段とを備えたネットワーク管理装置において、上記ＣＡＴＶ網における上り回線のトラフィック使用率を監視し、上記ＣＡＴＶ網における上り回線のトラフィック使用率が設定値を上回っていれば、上記端末が新たに接続するチャネルの通信プロトコルをＵＤＰ／ＩＰに決定し、上記ＣＡＴＶ網における上り回線のトラフィック使用率が設定値以下であれば、上記端末が新たに接続するチャネルの通信プロトコルをＴＣＰ／ＩＰに決定するプロトコル決定手段を設けたことを特徴とするネットワーク管理装置。
【請求項６】
上記表示手段は、伝送品質の劣化を示す情報を表示する際、上記速度検出手段により受信された伝送速度を表示することを特徴とする請求項５記載のネットワーク管理装置。
【請求項７】
端末からデータを受けると、そのデータを変調してＣＡＴＶ網に出力し、上記ＣＡＴＶ網からデータを受信すると、そのデータを復調して上記端末に出力するモデムと、上記モデムを用いて、上記ＣＡＴＶ網に設置されているモニタ端末にテスト信号を送信するとともに、そのモニタ端末から返送されたテスト信号を受信して、そのテスト信号のビットエラーレートを検出し、かつ、そのテスト信号のＣＮ比又は上記テスト信号に含まれるノイズ信号成分を検出する通信状況検出手段と、上記モデムが送受信するデータの伝送速度を、上記モデムから受信する速度検出手段と、上記通信状況検出手段により検出されたビットエラーレート及びＣＮ比又はノイズ信号成分が許容範囲内にあるか否かを監視するとともに、上記速度検出手段により受信された伝送速度が許容範囲内にあるか否かを監視する監視手段と、上記監視手段の監視結果が許容範囲の逸脱を示す場合には、伝送品質の劣化を示す情報を表示する表示手段とを備えたネットワーク管理装置において、上記ＣＡＴＶ網における上り回線のトラフィック使用率を監視し、上記ＣＡＴＶ網における上り回線のトラフィック使用率が設定値を上回っていれば、上記端末が新たに接続するチャネルの通信プロトコルをＵＤＰ／ＩＰに決定し、上記ＣＡＴＶ網における上り回線のトラフィック使用率が設定値以下であれば、上記端末が新たに接続するチャネルの通信プロトコルをＴＣＰ／ＩＰに決定するプロトコル決定手段を設けたことを特徴とするネットワーク管理装置。
【請求項８】
上記ＣＡＴＶ網を構成する双方向アンプの品質を検出する品質検出手段を設け、上記監視手段は、上記品質検出手段により検出された双方向アンプの品質が許容範囲内にあるか否かを監視し、上記表示手段は、上記品質検出手段により検出された双方向アンプの品質を表示するとともに、上記監視手段の監視結果が許容範囲の逸脱を示す場合には、その双方向アンプの品質劣化を示す情報を表示することを特徴とする請求項１から請求項７のうちのいずれか１項記載のネットワーク管理装置。
【請求項９】
上記ＣＡＴＶ網と接続関係があるＬＡＮに出力されたデータの伝送速度を検出する第２の速度検出手段を設け、上記監視手段は、上記第２の速度検出手段により検出された伝送速度が許容範囲内にあるか否かを監視し、上記表示手段は、上記第２の速度検出手段により検出された伝送速度を表示するとともに、上記監視手段の監視結果が許容範囲の逸脱を示す場合には、伝送品質の劣化を示す情報を表示することを特徴とする請求項１から請求項８のうちのいずれか１項記載のネットワーク管理装置。
【請求項１０】
上記ＣＡＴＶ網と接続関係があるＬＡＮに接続された機器の品質を検出する第２の品質検出手段を設け、上記監視手段は、上記第２の品質検出手段により検出された機器の品質が許容範囲内にあるか否かを監視し、上記表示手段は、上記第２の品質検出手段により検出された機器の品質を表示するとともに、上記監視手段の監視結果が許容範囲の逸脱を示す場合には、その機器の品質劣化を示す情報を表示することを特徴とする請求項１から請求項９のうちのいずれか１項記載のネットワーク管理装置。
【請求項１１】
上記監視手段の監視結果が許容範囲の逸脱を示す場合には、異常の発生を通報する通報手段を設けたことを特徴とする請求項１から請求項１０のうちのいずれか１項記載のネットワーク管理装置。
【請求項１２】
上記通報手段は、上記エラーレート検出手段、上記ノイズ検出手段、上記速度検出手段、上記通信状況検出手段、上記品質検出手段、上記第２の速度検出手段又は上記第２の品質検出手段の検出状況を通知することを特徴とする請求項１１記載のネットワーク管理装置。
【請求項１３】
上記ＣＡＴＶ網が現された地図を上記表示手段に表示させ、上記表示手段に表示されている地図に伝送品質の劣化を示す情報を重ねて表示させる表示制御手段を設けたことを特徴とする請求項１から請求項１２のうちのいずれか１項記載のネットワーク管理装置。
【請求項１４】
上記表示制御手段は、上記ＣＡＴＶ網と接続関係があるＬＡＮに接続された機器を上記地図上に表示することを特徴とする請求項１３記載のネットワーク管理装置。
【請求項１５】
上記表示制御手段は、複数の機器が上記ＬＡＮに接続されている場合、上記ＬＡＮに接続されている代表機器のみを上記地図上に表示することを特徴とする請求項１４記載のネットワーク管理装置。
【請求項１６】
上記表示制御手段は、上記ＣＡＴＶ網と上記ＬＡＮの分界点に最も近い機器を上記代表機器とすることを特徴とする請求項１５記載のネットワーク管理装置。
【請求項１７】
上記ＣＡＴＶ網と上記ＬＡＮの分界点を同軸ケーブルの保安器又は光ファイバーケーブルの光成端箱とすることを特徴とする請求項１６記載のネットワーク管理装置。
【請求項１８】
上記表示制御手段は、上記地図上に表示された代表機器が選択されると、上記ＬＡＮに接続された各機器に係る情報をスクロール表示することを特徴とする請求項１５記載のネットワーク管理装置。
【請求項１９】
上記表示制御手段は、上記地図上に表示された代表機器が選択されると、上記ＬＡＮの構成図を表示することを特徴とする請求項１５記載のネットワーク管理装置。
【請求項２０】
上記表示制御手段は、インターネット経由でアクセスを受けると、上記表示手段の表示内容と上記ＣＡＴＶ網が現された地図の情報をアクセス元に送信することを特徴とする請求項１３から請求項１９のうちのいずれか１項記載のネットワーク管理装置。
【請求項２１】
上記監視手段の監視結果が許容範囲の逸脱を示す場合には、上記モデムの信号送信レベルを調整する調整手段を設けたことを特徴とする請求項１から請求項２０のうちのいずれか１項記載のネットワーク管理装置。
【請求項２２】
端末からデータを受けると、そのデータを変調してＣＡＴＶ網に出力し、上記ＣＡＴＶ網からデータを受信すると、そのデータを復調して上記端末に出力するモデムを用いて、上記ＣＡＴＶ網に設置されたモニタ端末にテスト信号を送信するとともに、そのモニタ端末から返送されたテスト信号を受信して、そのテスト信号のビットエラーレートを検出し、そのビットエラーレートが許容範囲を逸脱すると、伝送品質の劣化を示す情報を表示するネットワーク管理方法において、上記ＣＡＴＶ網における上り回線のトラフィック使用率を監視し、上記ＣＡＴＶ網における上り回線のトラフィック使用率が設定値を上回っていれば、上記端末が新たに接続するチャネルの通信プロトコルをＵＤＰ／ＩＰに決定し、上記ＣＡＴＶ網における上り回線のトラフィック使用率が設定値以下であれば、上記端末が新たに接続するチャネルの通信プロトコルをＴＣＰ／ＩＰに決定することを特徴とするネットワーク管理方法。
【請求項２３】
端末からデータを受けると、そのデータを変調してＣＡＴＶ網に出力し、上記ＣＡＴＶ網からデータを受信すると、そのデータを復調して上記端末に出力するモデムを用いて、上記ＣＡＴＶ網に設置されたモニタ端末にテスト信号を送信するとともに、そのモニタ端末から返送されたテスト信号を受信して、そのテスト信号のＣＮ比又は上記テスト信号に含まれるノイズ信号成分を検出し、そのＣＮ比又はノイズ信号成分が許容範囲を逸脱すると、伝送品質の劣化を示す情報を表示するネットワーク管理方法において、上記ＣＡＴＶ網における上り回線のトラフィック使用率を監視し、上記ＣＡＴＶ網における上り回線のトラフィック使用率が設定値を上回っていれば、上記端末が新たに接続するチャネルの通信プロトコルをＵＤＰ／ＩＰに決定し、上記ＣＡＴＶ網における上り回線のトラフィック使用率が設定値以下であれば、上記端末が新たに接続するチャネルの通信プロトコルをＴＣＰ／ＩＰに決定することを特徴とするネットワーク管理方法。
【請求項２４】
端末からデータを受けると、そのデータを変調してＣＡＴＶ網に出力し、上記ＣＡＴＶ網からデータを受信すると、そのデータを復調して上記端末に出力するモデムが送受信するデータの伝送速度を、上記モデムから受信し、その伝送速度が許容範囲を逸脱すると、伝送品質の劣化を示す情報を表示するネットワーク管理方法において、上記ＣＡＴＶ網における上り回線のトラフィック使用率を監視し、上記ＣＡＴＶ網における上り回線のトラフィック使用率が設定値を上回っていれば、上記端末が新たに接続するチャネルの通信プロトコルをＵＤＰ／ＩＰに決定し、上記ＣＡＴＶ網における上り回線のトラフィック使用率が設定値以下であれば、上記端末が新たに接続するチャネルの通信プロトコルをＴＣＰ／ＩＰに決定することを特徴とするネットワーク管理方法。
【請求項２５】
上記テスト信号のビットエラーレート、上記テスト信号のＣＮ比、上記テスト信号に含まれるノイズ信号成分又は上記モデムが送受信するデータの伝送速度が許容範囲の逸脱を示す場合には、上記モデムの信号送信レベルを調整することを特徴とする請求項２２から請求項２４のうちのいずれか１項記載のネットワーク管理方法。
【発明の詳細な説明】
【０００１】
【発明の属する技術分野】
この発明は、ＣＡＴＶ網とＬＡＮが接続された異種ネットワークを統合的に管理するネットワーク管理装置及びネットワーク管理方法に関するものである。
【０００２】
【従来の技術】
図１１は従来のネットワーク管理装置を示す構成図であり、図において、１は複数の双方向アンプ３から構成されたツリー状のネットワーク（以下、「ＣＡＴＶ網」という）、２は同軸ケーブル、３は伝送信号を増幅する中継増幅器（以下、「双方向アンプ」という）、３ａは放送波送出装置５からテレビ８に送信される放送波を増幅する双方向アンプ３の下りアンプ、３ｂはモニタ端末４からステータスモニタ９に送信される監視データを増幅する双方向アンプ３の上りアンプ、４は双方向アンプ３の高周波信号送出レベル，内部駆動電圧及びケース内温度を計測し、これらの計測結果（監視データ）をステータスモニタ９に送信するモニタ端末、５は放送波を送信する放送波送出装置、６は放送波送出装置５が使用する周波数帯（チャネル）の混合及び分配を行うヘッドエンド、７はＣＡＴＶ網１にテレビ８を接続するホームターミナル、８は放送波送出装置５から送信された放送波を受信するテレビ、９はモニタ端末４から送信された監視データに基づいて双方向アンプ３の品質を監視するステータスモニタである。
【０００３】
次に動作について説明する。
ＣＡＴＶ網１は複数の双方向アンプ３から構成されたツリー状のネットワークであり、放送波送出装置５から送信された放送波を数多くのテレビ８に分配する役割を担うものであるが、ＣＡＴＶ網１に接続された双方向アンプ３の品質を管理する必要があるため、放送波送出装置５からテレビ８に放送波を送信する下り回線の他に、モニタ端末４からステータスモニタ９に監視データを送信する上り回線が設けられている。
【０００４】
ただし、放送波送出装置５が送信する放送波のデータ量に比べて、モニタ端末４が送信する監視データのデータ量は極めて少ないので、双方向アンプ３における上りアンプ３ｂの増幅率およびダイナミックレンジは、双方向アンプ３における下りアンプ３ａの増幅率に比べて小さいものが採用され、ＣＡＴＶ網１の上り回線を低速伝送路として使用するようにしている。
また、上り回線に割り当てられている周波数帯域も下り回線に割り当てられている周波数帯域に比べて少ないものとなっている。
【０００５】
ここで、双方向アンプ３の品質管理方法を具体的に説明すると、まず、双方向アンプ３に接続された各モニタ端末４（図１１の例では、モニタ端末４が付属されていない双方向アンプ３があるが、通常は、各双方向アンプ３に付属されている）が、常時、接続された双方向アンプ３の高周波信号送出レベル，内部駆動電圧及びケース内温度等を計測する。
【０００６】
そして、モニタ端末４は、双方向アンプ３の高周波信号送出レベル等を計測すると、ＣＡＴＶ網１の上り回線を利用して、これらの計測結果（監視データ）をステータスモニタ９に送信する（監視データの送信タイミングは、ステータスモニタ９から監視データの送信要求を受信した時又は所定の送信周期時刻に至った時）。
このようにして、各モニタ端末４から監視データが送信されると、ステータスモニタ９は、その監視データの変化を監視し、品質が劣化した双方向アンプ３を検出する。
【０００７】
なお、静止画像をモニタに表示することにより画像品質の劣化を検出する装置が特開平４−３０４７９７号公報に開示されている。
【０００８】
【発明が解決しようとする課題】
従来のネットワーク管理装置は以上のように構成されているので、ＣＡＴＶ網１を構成する双方向アンプ３の品質は管理できるが、例えば、電気ノイズが集積された流合雑音の影響や双方向アンプ３の継続による群遅延特性の影響等により伝送品質が劣化しても、伝送品質の劣化を検出する手段がないため、伝送品質が劣化している箇所を特定することができず、伝送品質を速やかに改善することができないという課題があった。
なお、伝送品質が劣化すると、増幅率およびダイナミックレンジが小さい上り回線に与える影響が大きく、上り回線を利用したデータ伝送が不可能になるという課題もあった。
【０００９】
この発明は上記のような課題を解決するためになされたもので、流合雑音の混入等を原因とする伝送品質の劣化を検出することができるネットワーク管理装置及びネットワーク管理方法を得ることを目的とする。
また、この発明は、伝送品質が劣化した場合には、伝送品質を速やかに改善することができるネットワーク管理装置及びネットワーク管理方法を得ることを目的とする。
【００１０】
【課題を解決するための手段】
この発明に係るネットワーク管理装置は、エラーレート検出手段により検出されたビットエラーレートが許容範囲を逸脱すると、伝送品質の劣化を示す情報を表示するようにしたものである。
また、プロトコル決定手段がＣＡＴＶ網における上り回線のトラフィック使用率を監視し、上り回線のトラフィック使用率が設定値を上回っていれば、端末が新たに接続するチャネルの通信プロトコルをＵＤＰ／ＩＰに決定し、上り回線のトラフィック使用率が設定値以下であれば、端末が新たに接続するチャネルの通信プロトコルをＴＣＰ／ＩＰに決定するようにしたものである。
【００１１】
この発明に係るネットワーク管理装置は、エラーレート検出手段により検出されたビットエラーレートを表示するようにしたものである。
【００１２】
この発明に係るネットワーク管理装置は、ノイズ検出手段により検出されたＣＮ比又はノイズ信号成分が許容範囲を逸脱すると、伝送品質の劣化を示す情報を表示するようにしたものである。
【００１３】
この発明に係るネットワーク管理装置は、ノイズ検出手段により検出されたＣＮ比又はノイズ信号成分を表示するようにしたものである。
【００１４】
この発明に係るネットワーク管理装置は、速度検出手段により検出された伝送速度が許容範囲内を逸脱すると、伝送品質の劣化を示す情報を表示するようにしたものである。
【００１５】
この発明に係るネットワーク管理装置は、速度検出手段により検出された伝送速度を表示するようにしたものである。
【００１６】
この発明に係るネットワーク管理装置は、ビットエラーレート及びＣＮ比又はノイズ信号成分が許容範囲を逸脱すると、伝送品質の劣化を示す情報を表示するようにしたものである。
【００１７】
この発明に係るネットワーク管理装置は、品質検出手段により検出された双方向アンプの品質を表示するとともに、監視手段の監視結果が許容範囲の逸脱を示す場合には、その双方向アンプの品質劣化を示す情報を表示するようにしたものである。
【００１８】
この発明に係るネットワーク管理装置は、ＬＡＮに出力されたデータの伝送速度を表示するとともに、監視手段の監視結果が許容範囲の逸脱を示す場合には、伝送品質の劣化を示す情報を表示するようにしたものである。
【００１９】
この発明に係るネットワーク管理装置は、ＬＡＮに接続された機器の品質を表示するとともに、監視手段の監視結果が許容範囲の逸脱を示す場合には、その機器の品質劣化を示す情報を表示するようにしたものである。
【００２０】
この発明に係るネットワーク管理装置は、監視手段の監視結果が許容範囲の逸脱を示す場合には、異常の発生を通報するようにしたものである。
【００２１】
この発明に係るネットワーク管理装置は、各検出手段の検出状況を通知するようにしたものである。
【００２２】
この発明に係るネットワーク管理装置は、ＣＡＴＶ網が現された地図に表示手段の表示内容を重ねて表示するようにしたものである。
【００２３】
この発明に係るネットワーク管理装置は、ＣＡＴＶ網と接続関係があるＬＡＮに接続された機器を地図上に表示するようにしたものである。
【００２４】
この発明に係るネットワーク管理装置は、複数の機器がＬＡＮに接続されている場合、ＬＡＮに接続された代表機器のみを地図上に表示するようにしたものである。
【００２５】
この発明に係るネットワーク管理装置は、ＣＡＴＶ網とＬＡＮの分界点に最も近い機器を代表機器とするようにしたものである。
【００２６】
この発明に係るネットワーク管理装置は、ＣＡＴＶ網とＬＡＮの分界点を同軸ケーブルの保安器又は光ファイバーケーブルの光成端箱とするようにしたものである。
【００２７】
この発明に係るネットワーク管理装置は、地図上に表示された代表機器が選択されると、ＬＡＮに接続された各機器に係る情報をスクロール表示するようにしたものである。
【００２８】
この発明に係るネットワーク管理装置は、地図上に表示された代表機器が選択されると、ＬＡＮの構成図を表示するようにしたものである。
【００２９】
この発明に係るネットワーク管理装置は、インターネット経由でアクセスを受けると、表示手段の表示内容とＣＡＴＶ網が現された地図の情報をアクセス元に送信するようにしたものである。
【００３０】
この発明に係るネットワーク管理装置は、監視手段の監視結果が許容範囲の逸脱を示す場合には、ＣＡＴＶ網に接続されたモデムの信号送信レベルを調整するようにしたものである。
【００３２】
この発明に係るネットワーク管理方法は、モニタ端末から返送されたテスト信号を受信して、そのテスト信号のビットエラーレートを検出し、そのビットエラーレートが許容範囲を逸脱すると、伝送品質の劣化を示す情報を表示するようにしたものである。
また、ＣＡＴＶ網における上り回線のトラフィック使用率を監視し、上り回線のトラフィック使用率が設定値を上回っていれば、端末が新たに接続するチャネルの通信プロトコルをＵＤＰ／ＩＰに決定し、上り回線のトラフィック使用率が設定値以下であれば、端末が新たに接続するチャネルの通信プロトコルをＴＣＰ／ＩＰに決定するようにしたものである。
【００３３】
この発明に係るネットワーク管理方法は、モニタ端末から返送されたテスト信号を受信して、そのテスト信号のＣＮ比又はテスト信号に含まれるノイズ信号成分を検出し、そのＣＮ比又はノイズ信号成分が許容範囲を逸脱すると、伝送品質の劣化を示す情報を表示するようにしたものである。
【００３４】
この発明に係るネットワーク管理方法は、モデムから伝送速度を受信し、その伝送速度が許容範囲を逸脱すると、伝送品質の劣化を示す情報を表示するようにしたものである。
【００３５】
この発明に係るネットワーク管理方法は、許容範囲の逸脱を示す場合には、ＣＡＴＶ網に接続されたモデムの信号送信レベルを調整するようにしたものである。
【００３７】
【発明の実施の形態】
以下、この発明の実施の一形態を説明する。
実施の形態１．
図１はこの発明の実施の形態１によるネットワーク管理装置を示す構成図であり、図において、１１は複数の双方向アンプ１３から構成されたツリー状のネットワーク（以下、「ＣＡＴＶ網」という）、１２は同軸ケーブル、１３は伝送信号を増幅する中継増幅器（以下、「双方向アンプ」という）、１３ａは放送波送出装置１５からテレビ１８に送信される放送波等を増幅する双方向アンプ１３の下りアンプ、１３ｂはモニタ端末１４からアナログステータスモニタ２３に送信される監視データ等を増幅する双方向アンプ１３の上りアンプ、１４は双方向アンプ１３の高周波信号送出レベル，内部駆動電圧及びケース内温度等を計測して、その計測結果（監視データ）をアナログステータスモニタ２３に送信するとともに、ディジタルステータスモニタ２４からテスト信号を受信すると、そのテスト信号をディジタルステータスモニタ２４に返送するモニタ端末である。
【００３８】
また、１５は放送波を送信する放送波送出装置、１６は放送波送出装置１５等が使用する周波数帯（チャネル）の混合及び分配を行うヘッドエンド、１７はＣＡＴＶ網１１にテレビ１８を接続するホームターミナル、１８は放送波送出装置１５から送信された放送波を受信するテレビ、１９は端末２０が送受信するデータを変復調するとともに、そのデータの伝送速度をモデム管理装置２５に送信するケーブルモデム（モデム）、２０はＬＡＮ２１に接続された端末（機器）、２１はＬＡＮ（Ｌｏｃａｌ  Ａｒｅａ  Ｎｅｔｗｏｒｋ）、２２はＣＡＴＶ網１１とＬＡＮ２１の分界点に設置された同軸ケーブルの保安器（ただし、ＣＡＴＶ網１１とＬＡＮ２１の接続を同軸ケーブル１２ではなく、光ファイバを用いて接続する場合には、光成端箱が設置される）である。
【００３９】
さらに、２３はモニタ端末１４から送信された双方向アンプ１３の品質に係る監視データを受信するアナログステータスモニタ（品質検出手段）、２４はモニタ端末１４にテスト信号を送信するとともに、そのモニタ端末１４から返送されたテスト信号を受信して、そのテスト信号のビットエラーレート及びＣＮ比を検出するディジタルステータスモニタ（エラーレート検出手段、ノイズ検出手段、通信状況検出手段）、２５は端末側のケーブルモデム１９等から送信されたデータの伝送速度を受信するモデム管理装置（速度検出手段）、２６は端末２０からＬＡＮ２１に出力されたデータの伝送速度を検出するとともに、端末２０の品質（例えば、信号送信レベル等）を監視するＬＡＮ管理装置（第２の速度検出手段、第２の品質検出手段）、２７はディジタルステータスモニタ２４から出力されたビットエラーレート等がそれぞれ許容範囲内にあるか否かを監視し、そのビットエラーレート等が許容範囲を逸脱する場合には、伝送品質の劣化等を示す情報の表示指令を出力する総合管理装置（監視手段）、２８は総合管理装置２７から表示指令を受けると、伝送品質の劣化等を示す情報を表示するＣＲＴ（表示手段）である。
【００４０】
なお、図２はこの発明の実施の形態１によるネットワーク管理方法を示すフローチャートである。
【００４１】
次に動作について説明する。
ＣＡＴＶ網１１は複数の双方向アンプ１３から構成されたツリー状のネットワークであり、放送波送出装置１５から送信された放送波を数多くのテレビ１８に分配する役割を担うものであるが、この実施の形態１では、異なるＬＡＮ２１に接続された端末２０が相互にデータを送信できるようにするため、ＣＡＴＶ網１１を異なるＬＡＮ２１を接続する伝送路として利用するものである。
【００４２】
最初に、センター側の端末２０からローカル側の端末２０にデータを送信する場合の動作を説明すると、まず、センター側の端末２０がＬＡＮ２１を介してセンター側のケーブルモデム１９にデータを送信し、センター側のケーブルモデム１９がデータを変調してＣＡＴＶ網１１に出力する。
これにより、センター側のケーブルモデム１９から出力されたデータは、ＣＡＴＶ網１１を構成する双方向アンプ１３の下りアンプ１３ａに増幅されながらローカル側のケーブルモデム１９に到達する。
そして、ローカル側のケーブルモデム１９は、ＣＡＴＶ網１１からデータを受信すると、そのデータを復調してＬＡＮ２１に出力し、ローカル側の端末２０がＬＡＮ２１からデータを受信する。
【００４３】
次に、ローカル側の端末２０からセンター側の端末２０にデータを送信する場合の動作を説明すると、まず、ローカル側の端末２０がＬＡＮ２１を介してローカル側のケーブルモデム１９にデータを送信し、ローカル側のケーブルモデム１９がデータを変調してＣＡＴＶ網１１に出力する。
これにより、ローカル側のケーブルモデム１９から出力されたデータは、ＣＡＴＶ網１１を構成する双方向アンプ１３の上りアンプ１３ｂに増幅されながらセンター側のケーブルモデム１９に到達する。
そして、センター側のケーブルモデム１９は、ＣＡＴＶ網１１からデータを受信すると、そのデータを復調してＬＡＮ２１に出力し、センター側の端末２０がＬＡＮ２１からデータを受信する。
【００４４】
さらに、ローカル側の端末２０からローカル側の端末にデータを送信する場合の動作を説明すると（説明の便宜上、ローカル側をＡ系統とＢ系統に分割し、Ａ系統の端末２０からＢ系統の端末２０にデータを送信するものとして説明する）、まず、Ａ系統の端末２０がＬＡＮ２１を介してＡ系統のケーブルモデム１９にデータを送信し、Ａ系統のケーブルモデム１９がデータを変調してＣＡＴＶ網１１に出力する。
これにより、Ａ系統のケーブルモデム１９から出力されたデータは、ＣＡＴＶ網１１を構成する双方向アンプ１３の上りアンプ１３ｂに増幅されながらヘッドエンド１６に到達する。
【００４５】
そして、ヘッドエンド１６はＣＡＴＶ網１１からデータを受信すると、そのデータをＣＡＴＶ網１１に返送する。
これにより、ヘッドエンド１６から返送されたデータは、ＣＡＴＶ網１１を構成する双方向アンプ１３の下りアンプ１３ａに増幅されながらＢ系統のケーブルモデム１９に到達する。
そして、Ｂ系統のケーブルモデム１９は、ＣＡＴＶ網１１からデータを受信すると、そのデータを復調してＬＡＮ２１に出力し、Ｂ系統の端末２０がＬＡＮ２１からデータを受信する。
【００４６】
異なるＬＡＮ２１に接続された端末２０間のデータ伝送は、上述した通りであるが、ローカル側の端末２０からセンター側の端末２０にデータを送信する場合及びローカル側の端末２０からローカル側の端末２０にデータを送信する場合には、データはＣＡＴＶ網１１を構成する双方向アンプ１３の上りアンプ１３ｂに増幅されながら伝送される。
しかしながら、双方向アンプ１３における上りアンプ１３ｂの増幅率は、双方向アンプ１３における下りアンプ１３ａの増幅率に比べて小さいものが採用されているため、例えば、電気ノイズが集積された流合雑音等がＣＡＴＶ網１１に混入すると、ＣＡＴＶ網１１の上り回線が影響を受け易く、上り回線の伝送品質が劣化する。
【００４７】
そこで、この実施の形態１では、伝送品質が劣化している箇所を特定することができるようにするため、まず、ディジタルステータスモニタ２４が、センター側のケーブルモデム１９からモニタ端末１４にテスト信号を送信する（ステップＳＴ１）。
ただし、ＣＡＴＶ網１１に接続された全てのモニタ端末１４にテスト信号を送信するが、通常は、各双方向アンプ１３に付属されている（双方向アンプ１３がモニタ端末１４を内蔵している場合もある）。
そして、モニタ端末１４はテスト信号を受信すると、そのテスト信号をそのまま返送するので、ディジタルステータスモニタ２４はセンター側のケーブルモデム１９からテスト信号を受信する（ステップＳＴ２）。
【００４８】
そして、ディジタルステータスモニタ２４はテスト信号を受信すると、送信したテスト信号と受信したテスト信号を比較して、受信したテスト信号のビットエラーレートを検出する（ステップＳＴ３）。
また、ディジタルステータスモニタ２４は、テスト信号のキャリア信号成分とノイズ信号成分の比であるＣＮ比（ダイナミックレンジ）を検出する（ステップＳＴ３）。
【００４９】
このようにして、ディジタルステータスモニタ２４がテスト信号のビットエラーレートとＣＮ比を検出すると、その検出結果が総合管理装置２７に伝送され、総合管理装置２７が、ビットエラーレートとＣＮ比がそれぞれ許容範囲内にあるか否かを判定する（ステップＳＴ４，ＳＴ５）。
そして、総合管理装置２７は、ビットエラーレート又はＣＮ比の少なくとも一方が、許容範囲を逸脱している場合には、伝送品質が劣化していると判断し、伝送品質の劣化を示す情報をＣＲＴ２８に表示する（ステップＳＴ６）。
なお、総合管理装置２７は、伝送品質の劣化を示す情報をＣＲＴ２８に表示する際、ディジタルステータスモニタ２４の検出結果（ビットエラーレート，ＣＮ比）をＣＲＴ２８に表示するとともに、その検出結果が何れのモニタ端末１４から返送されたテスト信号に基づくものであるのかが明確になるように表示する。
【００５０】
次に、モデム管理装置２５は、ディジタルステータスモニタ２４と同様に、伝送品質が劣化している箇所を特定することができるようにするため、ローカル側のケーブルモデム１９が現在送受信しているデータの伝送速度をセンター側のケーブルモデム１９から受信する。
即ち、ローカル側のケーブルモデム１９が現在送受信しているデータの伝送速度を示す情報の送信要求をローカル側のケーブルモデム１９に出力すると（ステップＳＴ７）、ローカル側のケーブルモデム１９が伝送速度を示す情報をセンター側のケーブルモデム１９に送信するので、センター側のケーブルモデム１９から伝送速度を示す情報を受信する（ステップＳＴ８）。
ただし、ローカル側のケーブルモデム１９が現在データを送受信していない場合には、センター側のケーブルモデム１９からローカル側のケーブルモデム１９にテスト信号を送信し、ローカル側のケーブルモデム１９がテスト信号を送受信する際の伝送速度を示す情報をローカル側のケーブルモデム１９から受信する。
【００５１】
そして、モデム管理装置２５はセンター側のケーブルモデム１９から伝送速度を示す情報を受信すると、その伝送速度を示す情報を総合管理装置２７に伝送し、総合管理装置２７が、その伝送速度が許容範囲内にあるか否かを判定する（ステップＳＴ９）。
そして、総合管理装置２７は、ローカル側のケーブルモデム１９の伝送速度が許容範囲を逸脱している場合には、伝送品質が劣化していると判断し、伝送品質の劣化を示す情報をＣＲＴ２８に表示する（ステップＳＴ１０）。
なお、総合管理装置２７は、伝送品質の劣化を示す情報をＣＲＴ２８に表示する際、ローカル側のケーブルモデム１９が送受信するデータの伝送速度をＣＲＴ２８に表示するとともに、その伝送速度を示す情報が何れのケーブルモデム１９から送信されたものであるのかが明確になるように表示する。
【００５２】
次に、アナログステータスモニタ２３は、品質が劣化している双方向アンプ１３を特定することができるようにするため、各モニタ端末１４により計測された監視データ（双方向アンプ１３の高周波信号送出レベル，内部駆動電圧及びケース内温度等）をケーブルモデム１９から受信する（ステップＳＴ１１）。
ただし、監視データの受信タイミングは、アナログステータスモニタ２３が監視データの送信要求を送信した時又は，所定の受信周期時刻に至った時である。
【００５３】
そして、アナログステータスモニタ２３はセンター側のケーブルモデム１９から監視データを受信すると、その監視データを総合管理装置２７に伝送し、総合管理装置２７が、その監視データに基づいて双方向アンプ１３の品質が許容範囲内にあるか否かを判定する（ステップＳＴ１２）。
そして、総合管理装置２７は、双方向アンプ１３の品質が許容範囲を逸脱している場合には、双方向アンプ１３の品質が劣化していると判断し、品質劣化を示す情報をＣＲＴ２８に表示する（ステップＳＴ１３）。
なお、総合管理装置２７は、品質劣化を示す情報をＣＲＴ２８に表示する際、各双方向アンプ１３の監視データを表示するとともに、どの双方向アンプ１３の品質が劣化しているのかが明確になるように表示する。
【００５４】
次に、ＬＡＮ管理装置２６は、ＬＡＮ２１の伝送品質の劣化及び品質が劣化している端末２０を特定することができるようにするため、端末２０からＬＡＮ２１に出力されたデータの伝送速度を検出するとともに（ステップＳＴ１４）、端末２０の品質（例えば、信号送信レベル等）を示す情報を端末２０から収集する（ステップＳＴ１５）。
【００５５】
そして、ＬＡＮ管理装置２６は伝送速度を検出し、端末２０の品質を示す情報を収集すると、その伝送速度と端末２０の品質を示す情報を総合管理装置２７に伝送し、総合管理装置２７が、その伝送速度と端末２０の品質がそれぞれ許容範囲内にあるか否かを判定する（ステップＳＴ１６，ＳＴ１８）。
そして、総合管理装置２７は、伝送速度が許容範囲を逸脱している場合には、伝送品質が劣化していると判断して、伝送品質の劣化を示す情報をＣＲＴ２８に表示する（ステップＳＴ１７）。
一方、端末２０の品質が許容範囲を逸脱している場合には、端末２０の品質が劣化していると判断し、品質劣化を示す情報をＣＲＴ２８に表示する（ステップＳＴ１９）。
【００５６】
なお、総合管理装置２７は、伝送品質の劣化を示す情報をＣＲＴ２８に表示する際、端末２０からＬＡＮ２１に出力されたデータの伝送速度を表示するとともに、どのＬＡＮ２１の伝送品質が劣化しているのかが明確になるように表示する。
また、総合管理装置２７は、品質劣化を示す情報をＣＲＴ２８に表示する際、端末２０の品質を示す情報を表示するとともに、どの端末２０の品質が劣化しているのかが明確になるように表示する。
【００５７】
以上で明らかなように、この実施の形態１によれば、ディジタルステータスモニタ２４から出力されたビットエラーレート等がそれぞれ許容範囲内にあるか否かを監視し、そのビットエラーレート等が許容範囲を逸脱する場合には、伝送品質の劣化等を示す情報を表示するように構成したので、流合雑音の混入等を原因とする伝送品質の劣化等を検出することができる効果を奏する。
【００５８】
実施の形態２．
上記実施の形態１では、ディジタルステータスモニタ２４がテスト信号のＣＮ比を検出するものについて示したが、ディジタルステータスモニタ２４がテスト信号に含まれるノイズ信号成分を検出して、総合管理装置２７がそのノイズ信号成分をＣＲＴ２８に表示するとともに、そのノイズ信号成分が許容範囲を逸脱する場合には、伝送品質の劣化を示す情報をＣＲＴ２８に表示するようにしてもよい。
【００５９】
実施の形態３．
図３はこの発明の実施の形態３によるネットワーク管理装置における総合管理装置の詳細を示す構成図であり、図において、図１と同一符号は同一または相当部分を示すので説明を省略する。
２９はディジタルステータスモニタ２４から出力されたビットエラーレート等がそれぞれ許容範囲内にあるか否かを監視し、そのビットエラーレート等が許容範囲を逸脱する場合には、伝送品質の劣化等を示す情報の表示指令を出力する監視部（監視手段）、３０は監視部２９の監視結果が許容範囲の逸脱を示す場合には、異常の発生を通報するとともに、伝送品質や端末の品質等を示す情報（例えば、ビットエラーレートや伝送速度等）を通知する通報部（通報手段）である。
【００６０】
次に動作について説明する。
上記実施の形態１，実施の形態２では、ビットエラーレート等が許容範囲を逸脱する場合には、伝送品質の劣化等を示す情報をＣＲＴ２８に表示するものについて示したが、この実施の形態３では、ビットエラーレート等が許容範囲の逸脱を示す場合には、通報部３０が、例えば、ネットワーク管理装置の管理者が所有する携帯電話に発呼して、異常の発生を通報するとともに、伝送品質や端末の品質等を示す情報（例えば、ビットエラーレートや伝送速度等）を通知する。
これにより、ネットワーク管理装置の管理者が、ネットワーク管理装置が存在する場所から離れた位置にいる場合でも、異常の発生及びネットワークの状況を認識することができる効果を奏する。
【００６１】
実施の形態４．
図４はこの発明の実施の形態４によるネットワーク管理装置における総合管理装置の詳細を示す構成図であり、図において、図３と同一符号は同一または相当部分を示すので説明を省略する。
３１はＣＡＴＶ網１１が現された地図を記憶するデータベース、３２はＣＡＴＶ網１１が現された地図に伝送品質の劣化等を示す情報を重ねて表示する表示制御部（表示制御手段）である。
【００６２】
次に動作について説明する。
上記実施の形態１等では、伝送品質の劣化等を示す情報をＣＲＴ２８に表示する際、かかる情報の表示方法については特に言及していないが、例えば、図５に示すように、ＣＡＴＶ網１１が現された地図に伝送品質の劣化等を示す情報を重ねて表示するようにしてもよい。
これにより、伝送品質等が劣化している箇所や品質が劣化している双方向アンプ１３等を一見して把握することができる効果を奏する。
【００６３】
なお、図５では、ケーブルモデム１９を□印，双方向アンプ１３を○印，ＬＡＮ２１に接続された端末２０を●印で表現しているが、例えば、双方向アンプ１３の品質が劣化すると、青色の○印から赤色の○印に変化する。
また、端末２０の品質が劣化すると、青色の●印から赤色の●印に変化する。さらに、伝送速度が許容範囲を逸脱すると、伝送速度を示す数値の色が青色から赤色に変化する。
【００６４】
実施の形態５．
上記実施の形態４では、ＬＡＮ２１に複数の端末２０が接続されている場合、全ての端末２０を地図上に表示するものについて示したが（図５のＤを参照）、ＣＲＴ２８の表示エリアは一定であるため、ＬＡＮ２１に接続される端末２０の数が増加すると、その分だけ端末２０等のシンボルを小さく表現する必要があり、表示内容が見にくくなることがある。
そこで、この実施の形態５では、同軸ケーブルの保安器２２（または光成端箱）に最も近い端末２０を代表機器とし、その代表機器のみを地図上に表示するようにしている（図６を参照）。
これにより、ＬＡＮ２１に接続される端末２０の数が増加しても、ＣＲＴ２８の表示内容が見にくくなる不具合を避けることができる効果を奏する。
【００６５】
実施の形態６．
上記実施の形態５では、代表機器のみを地図上に表示するものについて示したが、ＬＡＮ２１に接続された各端末２０に係る情報については、図７に示すように、スクロール表示するようにしてもよい（一画面に全ての端末２０が表示されない場合には、▽印をクリックすると、ページ送りされて他の端末２０に係る情報が表示される）。
これにより、代表機器のみが地図上に表示されていても、各端末２０に係る情報を容易に認識することができる効果を奏する。
【００６６】
実施の形態７．
上記実施の形態５では、代表機器のみを地図上に表示するものについて示したが、地図上に表示された代表機器が選択されると（例えば、マウスを用いて代表機器をダブルクリックすることにより代表機器を選択する）、図８に示すように、ＬＡＮ２１の構成図を表示するようにしてもよい。
これにより、代表機器のみが地図上に表示されていても、ＬＡＮ２１の構成を認識することができる効果を奏する。
【００６７】
実施の形態８．
上記実施の形態１から実施の形態７では、総合管理装置２７が伝送品質の劣化等を示す情報をＣＲＴ２８に表示するものについて示したが、総合管理装置２７がインターネット経由でアクセスを受けると、伝送品質の劣化等を示す情報とＣＡＴＶ網が現された地図の情報をアクセス元に送信するようにしてもよい。
これにより、ネットワーク管理装置が存在する場所に出向かなくても、ネットワークの状況を認識することができる効果を奏する。
【００６８】
実施の形態９．
図９はこの発明の実施の形態９によるネットワーク管理装置における総合管理装置の詳細を示す構成図であり、図において、図４と同一符号は同一または相当部分を示すので説明を省略する。
３３は監視部２９の監視結果が許容範囲の逸脱を示す場合には、ＣＡＴＶ網１１に接続されたケーブルモデム１９の信号送信レベルを調整するレベル調整部（調整手段）である。
【００６９】
次に動作について説明する。
上記実施の形態１から実施の形態７では、総合管理装置２７が伝送品質の劣化等を示す情報をＣＲＴ２８に表示するものについて示したが、監視部２９の監視結果が許容範囲の逸脱を示す場合には、ＣＡＴＶ網１１に接続されたケーブルモデム１９の信号送信レベルを調整するようにしてもよい。
即ち、ビットエラーレートや伝送速度等が許容範囲を逸脱した場合には、レベル調整部３３が、ケーブルモデム１９の信号送信レベルが高くなるように調整する。
【００７０】
これにより、ビットエラーレート等が許容範囲を逸脱して、伝送品質が劣化しても、伝送品質を速やかに改善することができる効果を奏する。
ただし、信号送信レベルが高くなり過ぎて、データの伝送速度が上限値を越えると、受信側の端末２０がデータを受信できなくなる場合があるので、データの伝送速度が上限値を越えることがない範囲内でケーブルモデム１９の信号送信レベルを調整する。
【００７１】
実施の形態１０．
図１０はこの発明の実施の形態１０によるネットワーク管理装置を示す構成図であり、図において、図１と同一符号は同一または相当部分を示すので説明を省略する。
３４はＣＡＴＶ網１１における上り回線又は下り回線のトラフィック使用率を監視し、そのトラフィック使用率を示す情報を地図上に表示するとともに、そのトラフィック使用率に応じて新たに接続するチャネルの通信プロトコルを決定するプロトコル決定部（プロトコル決定手段）である。
【００７２】
次に動作について説明する。
上記実施の形態１から実施の形態７では、総合管理装置２７が伝送品質の劣化等を示す情報をＣＲＴ２８に表示するものについて示したが、プロトコル決定部３４が、ＣＡＴＶ網１１における上り回線又は下り回線のトラフィック使用率を監視し、そのトラフィック使用率を示す情報を地図上に表示するとともに、そのトラフィック使用率に応じて新たに接続するチャネルの通信プロトコルを決定するようにしてもよい。
【００７３】
即ち、ＣＡＴＶ網１１の上り回線に割り当てられている周波数帯域は、上述したように、下り回線に割り当てられている周波数帯域に比べて少ないので、上り回線を利用して伝送するデータ量が少なくても、上り回線のトラフィック使用率が上昇し、ＣＡＴＶ網１１を使用する双方向通信が困難になる場合がある。
【００７４】
そこで、この実施の形態１０では、プロトコル決定部３４が、ＣＡＴＶ網１１における上り回線のトラフィック使用率を監視し、上り回線のトラフィック使用率が設定値を上回っているか否かを判断する。
そして、上り回線のトラフィック使用率が設定値以下であれば、新たに接続するチャネルの通信プロトコルをＴＣＰ／ＩＰとするが、上り回線のトラフィック使用率が設定値を越えた場合には、新たに接続するチャネルの通信プロトコルをＵＤＰ／ＩＰとする。
【００７５】
これにより、通信プロトコルがＴＣＰ／ＩＰであれば、上り回線を利用してＡＣＫ信号等を返送するが、通信プロトコルがＵＤＰ／ＩＰになると、上り回線を利用してＡＣＫ信号等が返送されなくなり、その分だけ、上り回線のトラフィック使用率が減少する。従って、ＣＡＴＶ網１１を使用する双方向通信の安定性が向上する。
【００７６】
【発明の効果】
以上のように、この発明によれば、エラーレート検出手段により検出されたビットエラーレートが許容範囲を逸脱すると、伝送品質の劣化を示す情報を表示するように構成したので、流合雑音の混入等を原因とする伝送品質の劣化を検出することができる効果がある。
また、プロトコル決定手段がＣＡＴＶ網における上り回線のトラフィック使用率を監視し、上り回線のトラフィック使用率が設定値を上回っていれば、端末が新たに接続するチャネルの通信プロトコルをＵＤＰ／ＩＰに決定し、上り回線のトラフィック使用率が設定値以下であれば、端末が新たに接続するチャネルの通信プロトコルをＴＣＰ／ＩＰに決定するように構成したので、上り回線のトラフィック使用率が低ければ、上り回線を利用してＡＣＫ信号等を返送することができる一方、上り回線のトラフィック使用率が高ければ、上り回線を利用してＡＣＫ信号等が返送されなくなり、その分だけ、上り回線のトラフィック使用率が減少するため、ＣＡＴＶ網を使用する双方向通信の安定性が向上する効果がある。
【００７７】
この発明によれば、エラーレート検出手段により検出されたビットエラーレートを表示するように構成したので、ＣＡＴＶ網の伝送品質を評価することができる効果がある。
【００７８】
この発明によれば、ノイズ検出手段により検出されたＣＮ比又はノイズ信号成分が許容範囲を逸脱すると、伝送品質の劣化を示す情報を表示するように構成したので、流合雑音の混入等を原因とする伝送品質の劣化を検出することができる効果がある。
【００７９】
この発明によれば、ノイズ検出手段により検出されたＣＮ比又はノイズ信号成分を表示するように構成したので、ＣＡＴＶ網の伝送品質を評価することができる効果がある。
【００８０】
この発明によれば、速度検出手段により検出された伝送速度が許容範囲内を逸脱すると、伝送品質の劣化を示す情報を表示するように構成したので、流合雑音の混入等を原因とする伝送品質の劣化を検出することができる効果がある。
【００８１】
この発明によれば、速度検出手段により検出された伝送速度を表示するように構成したので、ＣＡＴＶ網の伝送品質を評価することができる効果がある。
【００８２】
この発明によれば、ビットエラーレート及びＣＮ比又はノイズ信号成分が許容範囲を逸脱すると、伝送品質の劣化を示す情報を表示するように構成したので、流合雑音の混入等を原因とする伝送品質の劣化を検出することができる効果がある。
【００８３】
この発明によれば、品質検出手段により検出された双方向アンプの品質を表示するとともに、監視手段の監視結果が許容範囲の逸脱を示す場合には、その双方向アンプの品質劣化を示す情報を表示するように構成したので、双方向アンプの品質劣化を検出することができるとともに、双方向アンプの品質を評価することができる効果がある。
【００８４】
この発明によれば、ＬＡＮに出力されたデータの伝送速度を表示するとともに、監視手段の監視結果が許容範囲の逸脱を示す場合には、伝送品質の劣化を示す情報を表示するように構成したので、ＬＡＮの伝送品質の劣化を検出することができるとともに、ＬＡＮの伝送品質を評価することができる効果がある。
【００８５】
この発明によれば、ＬＡＮに接続された機器の品質を表示するとともに、監視手段の監視結果が許容範囲の逸脱を示す場合には、その機器の品質劣化を示す情報を表示するように構成したので、ＬＡＮに接続された機器の品質劣化を検出することができるとともに、その機器の品質を評価することができる効果がある。
【００８６】
この発明によれば、監視手段の監視結果が許容範囲の逸脱を示す場合には、異常の発生を通報するように構成したので、例えば、ネットワーク管理装置の管理者が、ネットワーク管理装置が存在する場所から離れた位置にいる場合でも、異常の発生を認識することができる効果がある。
【００８７】
この発明によれば、各検出手段の検出状況を通知するように構成したので、ネットワーク管理装置が存在する場所から離れた位置にいる場合でも、ネットワークの状況を認識することができる効果がある。
【００８８】
この発明によれば、ＣＡＴＶ網が現された地図に表示手段の表示内容を重ねて表示するように構成したので、伝送品質が劣化している箇所や品質が劣化している双方向アンプ等を一見して把握することができる効果がある。
【００８９】
この発明によれば、ＣＡＴＶ網と接続関係があるＬＡＮに接続された機器を地図上に表示するように構成したので、ＬＡＮの伝送品質の劣化やＬＡＮに接続された機器の品質を一見して把握することができる効果がある。
【００９０】
この発明によれば、複数の機器がＬＡＮに接続されている場合、ＬＡＮに接続された代表機器のみを地図上に表示するように構成したので、ＬＡＮに接続される機器の数が増加しても、ＣＲＴの表示内容が見にくくなる不具合を避けることができる効果がある。
【００９１】
この発明によれば、ＣＡＴＶ網とＬＡＮの分界点に最も近い機器を代表機器とするように構成したので、ＬＡＮに接続される機器の管理が容易になる効果がある。
【００９２】
この発明によれば、ＣＡＴＶ網とＬＡＮの分界点を同軸ケーブルの保安器又は光ファイバーケーブルの光成端箱とするように構成したので、ＣＡＴＶ網とＬＡＮの管理が容易になる効果がある。
【００９３】
この発明によれば、地図上に表示された代表機器が選択されると、ＬＡＮに接続された各機器に係る情報をスクロール表示するように構成したので、代表機器のみが地図上に表示されていても、各機器に係る情報を容易に認識することができる効果がある。
【００９４】
この発明によれば、地図上に表示された代表機器が選択されると、ＬＡＮの構成図を表示するように構成したので、代表機器のみが地図上に表示されていても、ＬＡＮの構成を認識することができる効果がある。
【００９５】
この発明によれば、インターネット経由でアクセスを受けると、表示手段の表示内容とＣＡＴＶ網が現された地図の情報をアクセス元に送信するように構成したので、ネットワーク管理装置が存在する場所に出向かなくても、ネットワークの状況を認識することができる効果がある。
【００９６】
この発明によれば、監視手段の監視結果が許容範囲の逸脱を示す場合には、ＣＡＴＶ網に接続されたモデムの信号送信レベルを調整するように構成したので、ビットエラーレート等が許容範囲を逸脱して、伝送品質が劣化した場合には、速やかに伝送品質を改善することができる効果がある。
【００９８】
この発明によれば、モニタ端末から返送されたテスト信号を受信して、そのテスト信号のビットエラーレートを検出し、そのビットエラーレートが許容範囲を逸脱すると、伝送品質の劣化を示す情報を表示するように構成したので、流合雑音の混入等を原因とする伝送品質の劣化を検出することができる効果がある。
また、ＣＡＴＶ網における上り回線のトラフィック使用率を監視し、上り回線のトラフィック使用率が設定値を上回っていれば、端末が新たに接続するチャネルの通信プロトコルをＵＤＰ／ＩＰに決定し、上り回線のトラフィック使用率が設定値以下であれば、端末が新たに接続するチャネルの通信プロトコルをＴＣＰ／ＩＰに決定するように構成したので、上り回線のトラフィック使用率が低ければ、上り回線を利用してＡＣＫ信号等を返送することができる一方、上り回線のトラフィック使用率が高ければ、上り回線を利用してＡＣＫ信号等が返送されなくなり、その分だけ、上り回線のトラフィック使用率が減少するため、ＣＡＴＶ網を使用する双方向通信の安定性が向上する効果がある。
【００９９】
この発明によれば、モニタ端末から返送されたテスト信号を受信して、そのテスト信号のＣＮ比又はテスト信号に含まれるノイズ信号成分を検出し、そのＣＮ比又はノイズ信号成分が許容範囲を逸脱すると、伝送品質の劣化を示す情報を表示するように構成したので、流合雑音の混入等を原因とする伝送品質の劣化を検出することができる効果がある。
【０１００】
この発明によれば、モデムから伝送速度を受信し、その伝送速度が許容範囲を逸脱すると、伝送品質の劣化を示す情報を表示するように構成したので、流合雑音の混入等を原因とする伝送品質の劣化を検出することができる効果がある。
【０１０１】
この発明によれば、許容範囲の逸脱を示す場合には、ＣＡＴＶ網に接続されたモデムの信号送信レベルを調整するように構成したので、ビットエラーレート等が許容範囲を逸脱して、伝送品質が劣化した場合には、速やかに伝送品質を改善することができる効果がある。
【図面の簡単な説明】
【図１】  この発明の実施の形態１によるネットワーク管理装置を示す構成図である。
【図２】  この発明の実施の形態１によるネットワーク管理方法を示すフローチャートである。
【図３】  この発明の実施の形態３によるネットワーク管理装置における総合管理装置の詳細を示す構成図である。
【図４】  この発明の実施の形態４によるネットワーク管理装置における総合管理装置の詳細を示す構成図である。
【図５】  ＣＲＴの表示内容を説明する画面図である。
【図６】  ＣＲＴの表示内容を説明する画面図である。
【図７】  ＣＲＴのスクロール表示を説明する画面図である。
【図８】  ＬＡＮの構成図を示す画面図である。
【図９】  この発明の実施の形態９によるネットワーク管理装置における総合管理装置の詳細を示す構成図である。
【図１０】  この発明の実施の形態１０によるネットワーク管理装置を示す構成図である。
【図１１】  従来のネットワーク管理装置を示す構成図である。
【符号の説明】
１１  ＣＡＴＶ網、１３  双方向アンプ、１４  モニタ端末、１９  ケーブルモデム（モデム）、２０  端末（機器）、２１  ＬＡＮ、２２  保安器、２３  アナログステータスモニタ（品質検出手段）、２４  ディジタルステータスモニタ（エラーレート検出手段、ノイズ検出手段、通信状況検出手段）、２５  モデム管理装置（速度検出手段）、２６  ＬＡＮ管理装置（第２の速度検出手段、第２の品質検出手段）、２７  総合管理装置（監視手段）、２８  ＣＲＴ（表示手段）、２９  監視部（監視手段）、３０  通報部（通報手段）、３２  表示制御部（表示制御手段）、３３  レベル調整部（調整手段）、３４  プロトコル決定部（プロトコル決定手段）。
【図１】
0003877857.tif 000002
【図２】
0003877857.tif 000003
【図３】
0003877857.tif 000004
【図４】
0003877857.tif 000005
【図５】
0003877857.tif 000006
【図６】
0003877857.tif 000007
【図７】
0003877857.tif 000008
【図８】
0003877857.tif 000009
【図９】
0003877857.tif 000010
【図１０】
0003877857.tif 000011
【図１１】
0003877857.tif 000012